(57)【要約】【課題】冊子の見栄えを良くする。【解決手段】冊子８０を構成する複数の用紙の、冊子８０の綴じ側８１と反対側である小口側８２の端部から冊子８０の小口側の辺と垂直な方向に予め定められた幅だけ内側に、付加画像を順次スライスした画像が複数の用紙の綴じ順に印刷されている。Ｚ方向に沿って、冊子８０を構成する複数の用紙を繰る形態に冊子８０を湾曲させると、冊子８０の小口側８２の紙端の重なり部分に、第１章、第２章、第３章という付加画像が現れるが、冊子８０を湾曲させていない状態では、冊子８０の小口側８２の側面に画像が現れることはない。【選択図】図１２
2010205113.tif 000002
【特許請求の範囲】
【請求項１】
制御部により、付加画像を順次スライスし、当該スライスされた付加画像のそれぞれを、複数の用紙を綴じて形成されるべき冊子の小口側の端部から当該冊子の小口側の辺と垂直な方向に予め定められた幅だけ内側に配置した画像を生成する工程と、
印刷部により、前記生成された画像を前記複数の用紙に印刷する工程と、
を含む画像形成方法。
【請求項２】
前記冊子の小口側の端部は、前記複数の用紙の小口側の紙端である、
請求項１に記載の画像形成方法。
【請求項３】
前記冊子の小口側の端部は、前記複数の用紙において断裁処理後の小口側の紙端を見込んだ位置である、
請求項１に記載の画像形成方法。
【請求項４】
付加画像を取得する取得部と、
前記取得された付加画像を順次スライスし、当該スライスされた付加画像のそれぞれを、複数の用紙を綴じて形成されるべき冊子の小口側の端部から当該冊子の小口側の辺と垂直な方向に予め定められた幅だけ内側に配置した画像を生成し、印刷部を制御して前記生成された画像を前記複数の用紙に印刷させる制御部と、
を備える画像形成装置。
【請求項５】
付加画像を設定するための操作部と、
前記設定された付加画像を順次スライスし、当該スライスされた付加画像のそれぞれを、複数の用紙を綴じて形成されるべき冊子の小口側の端部から当該冊子の小口側の辺と垂直な方向に予め定められた幅だけ内側に配置した画像を生成し、当該生成された画像の印刷を指示する印刷指示情報を生成する制御部と、
前記生成された印刷指示情報を画像形成装置に送信する送信部と、
を備える印刷指示装置。
【請求項６】
複数の用紙を綴じて形成された冊子であって、
前記複数の用紙の当該冊子の小口側の端部から当該冊子の小口側の辺と垂直な方向に予め定められた幅だけ内側に、付加画像を順次スライスした画像が前記複数の用紙の綴じ順に印刷されている冊子。
【請求項７】
コンピュータを、
付加画像を取得する取得部、
前記取得された付加画像を順次スライスし、当該スライスされた付加画像のそれぞれを、複数の用紙を綴じて形成されるべき冊子の小口側の端部から当該冊子の小口側の辺と垂直な方向に予め定められた幅だけ内側に配置した画像を生成し、印刷部を制御して前記生成された画像を前記複数の用紙に印刷させる制御部、
として機能させるためのプログラム。
【請求項８】
コンピュータを、
付加画像を設定するための操作部、
前記設定された付加画像を順次スライスし、当該スライスされた付加画像のそれぞれを、複数の用紙を綴じて形成されるべき冊子の小口側の端部から当該冊子の小口側の辺と垂直な方向に予め定められた幅だけ内側に配置した画像を生成し、当該生成された画像の印刷を指示する印刷指示情報を生成する制御部、
前記生成された印刷指示情報を画像形成装置に送信する送信部、
として機能させるためのプログラム。
【発明の詳細な説明】
【技術分野】
【０００１】
本発明は、画像形成方法、画像形成装置、印刷指示装置、冊子及びプログラムに関する。
【背景技術】
【０００２】
従来、複数の用紙を綴じて形成される冊子の綴じ側と反対側である小口側の端面に見出し等の文字が現れるように、各ページの小口側の端部に文字を分割して印刷する技術が用いられている。このような例は、辞書等の書籍において見られる手法である。
【０００３】
冊子に十分な厚さがない場合には、複数の用紙を繰る形態に冊子を湾曲させ、冊子全体を反らせた際に、冊子の小口側の紙端の重なり部分に文字が現れるように、各ページの小口側の端部に文字を分割して印刷するものが知られている（特許文献１参照）。
【０００４】
図１９に、従来の見出し文字の印刷例を示す。図１９に示すように、冊子１００を構成する複数の用紙の端部に、見出し文字からなる付加画像を分割した画像が印刷されているため、複数の用紙を繰る形態に冊子１００を湾曲させた際に、冊子１００の綴じ側１０１と反対側である小口側１０２の紙端の重なり部分に「第１章」という見出し文字が現れる。
【先行技術文献】
【特許文献】
【０００５】
【特許文献１】米国特許第７３４９６５１号明細書
【発明の概要】
【発明が解決しようとする課題】
【０００６】
しかしながら、上記従来技術のように、各用紙の端部に付加画像を分割した画像を印刷した場合、図２０に示すように、冊子１００を湾曲させていない状態において、冊子１００の小口側１０２の側面に何らかの画像が見えてしまい、見栄えの悪い状態となっていた。
【０００７】
本発明は上記の従来技術における問題に鑑みてなされたものであって、冊子の見栄えを良くすることを課題とする。
【課題を解決するための手段】
【０００８】
上記課題を解決するために、請求項１に記載の画像形成方法は、制御部により、付加画像を順次スライスし、当該スライスされた付加画像のそれぞれを、複数の用紙を綴じて形成されるべき冊子の小口側の端部から当該冊子の小口側の辺と垂直な方向に予め定められた幅だけ内側に配置した画像を生成する工程と、印刷部により、前記生成された画像を前記複数の用紙に印刷する工程と、を含む。
【０００９】
請求項２に記載の発明は、請求項１に記載の画像形成方法において、前記冊子の小口側の端部は、前記複数の用紙の小口側の紙端である。
【００１０】
請求項３に記載の発明は、請求項１に記載の画像形成方法において、前記冊子の小口側の端部は、前記複数の用紙において断裁処理後の小口側の紙端を見込んだ位置である。
【００１１】
請求項４に記載の画像形成装置は、付加画像を取得する取得部と、前記取得された付加画像を順次スライスし、当該スライスされた付加画像のそれぞれを、複数の用紙を綴じて形成されるべき冊子の小口側の端部から当該冊子の小口側の辺と垂直な方向に予め定められた幅だけ内側に配置した画像を生成し、印刷部を制御して前記生成された画像を前記複数の用紙に印刷させる制御部と、を備える。
【００１２】
請求項５に記載の印刷指示装置は、付加画像を設定するための操作部と、前記設定された付加画像を順次スライスし、当該スライスされた付加画像のそれぞれを、複数の用紙を綴じて形成されるべき冊子の小口側の端部から当該冊子の小口側の辺と垂直な方向に予め定められた幅だけ内側に配置した画像を生成し、当該生成された画像の印刷を指示する印刷指示情報を生成する制御部と、前記生成された印刷指示情報を画像形成装置に送信する送信部と、を備える。
【００１３】
請求項６に記載の発明は、複数の用紙を綴じて形成された冊子であって、前記複数の用紙の当該冊子の小口側の端部から当該冊子の小口側の辺と垂直な方向に予め定められた幅だけ内側に、付加画像を順次スライスした画像が前記複数の用紙の綴じ順に印刷されている冊子である。
【００１４】
請求項７に記載の発明は、コンピュータを、付加画像を取得する取得部、前記取得された付加画像を順次スライスし、当該スライスされた付加画像のそれぞれを、複数の用紙を綴じて形成されるべき冊子の小口側の端部から当該冊子の小口側の辺と垂直な方向に予め定められた幅だけ内側に配置した画像を生成し、印刷部を制御して前記生成された画像を前記複数の用紙に印刷させる制御部、として機能させるためのプログラムである。
【００１５】
請求項８に記載の発明は、コンピュータを、付加画像を設定するための操作部、前記設定された付加画像を順次スライスし、当該スライスされた付加画像のそれぞれを、複数の用紙を綴じて形成されるべき冊子の小口側の端部から当該冊子の小口側の辺と垂直な方向に予め定められた幅だけ内側に配置した画像を生成し、当該生成された画像の印刷を指示する印刷指示情報を生成する制御部、前記生成された印刷指示情報を画像形成装置に送信する送信部、として機能させるためのプログラムである。
【発明の効果】
【００１６】
請求項１、４、５、６、７、８に記載の発明によれば、スライスされた付加画像のそれぞれが、冊子の小口側の端部から冊子の小口側の辺と垂直な方向に予め定められた幅だけ内側に配置されるので、冊子の見栄えを良くすることができる。
【００１７】
請求項２に記載の発明によれば、複数の用紙の小口側の紙端から予め定められた幅だけ内側に、スライスされた付加画像を配置することができる。
【００１８】
請求項３に記載の発明によれば、複数の用紙において断裁処理後の小口側の紙端を見込んだ位置から予め定められた幅だけ内側に、スライスされた付加画像を配置することができる。
【図面の簡単な説明】
【００１９】
【図１】第１の実施の形態における画像形成システムのシステム構成図である。
【図２】クライアントＰＣの機能的構成を示すブロック図である。
【図３】クライアントＰＣの表示部に表示される印刷設定画面の例である。
【図４】第１の実施の形態のクライアントＰＣにより生成される印刷データの構成を示す図である。
【図５】画像形成装置の機能的構成を示すブロック図である。
【図６】クライアントＰＣにおいて実行される第１の印刷指示処理を示すフローチャートである。
【図７】画像形成装置において実行される第１の印刷処理を示すフローチャートである。
【図８】合成画像生成処理を示すフローチャートである。
【図９】見出し画像の例である。
【図１０】見出し画像をスライスしたスライス画像の例である。
【図１１】スライス画像を本文画像に合成した合成画像の例である。
【図１２】作成された冊子の例である。
【図１３】冊子を湾曲させた際の「第１章」の見出し部分の部分拡大図である。
【図１４】湾曲させていない状態の冊子の例である。
【図１５】第２の実施の形態のクライアントＰＣにより生成される印刷データの構成を示す図である。
【図１６】クライアントＰＣにおいて実行される第２の印刷指示処理を示すフローチャートである。
【図１７】印刷データ生成処理を示すフローチャートである。
【図１８】画像形成装置において実行される第２の印刷処理を示すフローチャートである。
【図１９】従来の見出し文字の印刷例である。
【図２０】従来の冊子を湾曲させていない状態の例である。
【発明を実施するための形態】
【００２０】
［第１の実施の形態］
まず、図１〜図１４を参照して、本発明の第１の実施の形態について説明する。
図１に、第１の実施の形態における画像形成システム１のシステム構成を示す。図１に示すように、画像形成システム１は、クライアントＰＣ（Personal Computer）１０と、画像形成装置２０とから構成されており、各装置は、通信ネットワークＮを介してデータ通信可能に接続されている。
【００２１】
クライアントＰＣ１０は、一般的なＰＣから構成され、画像形成装置２０における印刷を指示する印刷指示装置である。クライアントＰＣ１０には、ＯＳ（Operating System）や、印刷する文書を作成するための文書作成プログラムがインストールされている。また、クライアントＰＣ１０には、作成した文書の印刷指示や印刷する文書の印刷方法の指定を行うためのプリンタドライバプログラムがインストールされている。クライアントＰＣ１０は、このプリンタドライバの機能を用いて、印刷実行時に適用される各種設定情報６２（図４参照）や本文画像データ６１（図４参照）等を含む印刷データ６０（図４参照）を生成し、画像形成装置２０に送信する。
【００２２】
画像形成装置２０は、コピー機能、画像読取機能、プリンタ機能を備えた、所謂ＭＦＰ（Multi-Function Peripheral）であって、画像データに基づいて用紙に画像を形成する。画像形成装置２０には、クライアントＰＣ１０から送信された印刷データ６０を受信し、ラスタデータへ展開するためのプリンタコントローラプログラムがインストールされている。
【００２３】
図２に、クライアントＰＣ１０の機能的構成を示す。図２に示すように、クライアントＰＣ１０は、ＣＰＵ（Central Processing Unit）１１、操作部１２、表示部１３、通信部１４、ＲＯＭ（Read Only Memory）１５、ＲＡＭ（Random Access Memory）１６、記憶部１７を備え、各部はバス１８により接続されて構成されている。
【００２４】
ＣＰＵ１１は、クライアントＰＣ１０の各部の処理動作を統括的に制御する。具体的には、ＣＰＵ１１は、操作部１２から入力される操作信号又は通信部１４により受信した指示信号に応じて、ＲＯＭ１５又は記憶部１７に格納されている各種処理プログラムを読み出してＲＡＭ１６に展開し、当該プログラムとの協働により各種処理を行う。
【００２５】
ＣＰＵ１１は、記憶部１７からプリンタドライバプログラムを読み出してＲＡＭ１６に展開し、当該プログラムとの協働により、印刷データ６０を生成し、画像形成装置２０における印刷を指示する。
【００２６】
操作部１２は、カーソルキー、文字入力キー、及び各種機能キー等を備えたキーボードと、マウス等のポインティングデバイスを備えて構成され、キーボードに対するキー操作やマウス操作により入力された指示信号をＣＰＵ１１に出力する。
【００２７】
表示部１３は、ＬＣＤ（Liquid Crystal Display）により構成され、ＣＰＵ１１から入力される表示信号の指示に従って、各種表示画面等を表示する。
【００２８】
通信部１４は、通信ネットワークＮを介して接続された画像形成装置２０等の外部機器との間でデータの送受信を行うための機能部である。
【００２９】
ＲＯＭ１５は、不揮発性の半導体メモリ等により構成され、ＣＰＵ１１により実行される各種処理プログラム、各種データ等を記憶する。
【００３０】
ＲＡＭ１６は、ＣＰＵ１１により実行される各種処理プログラム及びこれらプログラムに係るデータを一時的に記憶するワークエリアを形成する。
【００３１】
記憶部１７は、ハードディスク等から構成され、プリンタドライバプログラム等の各種プログラム、画像データ等の各種データを記憶する記憶装置である。
【００３２】
クライアントＰＣ１０では、画像形成装置２０において付加画像の印刷を行うための設定が行われる。付加画像は、複数の用紙を綴じて形成される冊子の複数の用紙を繰る形態に冊子を湾曲させた際に当該冊子の小口側の紙端の重なり部分に現れるように、複数の用紙に分割して印刷される。本実施の形態では、付加画像として、見出し画像を用いる場合を例にして説明する。見出し画像は、冊子を構成する複数のページを複数の区分に区分けした場合に、各区分に対応する見出しとして設定された画像である。なお、付加画像は、見出し画像に限らず、冊子のタイトルや作成者を示す画像であってもよいし、文字、数字、記号、符号、図形等であってもよい。
【００３３】
ここで、クライアントＰＣ１０における曲げ見出し印刷の設定について説明する。曲げ見出し印刷とは、複数の用紙を綴じて形成される冊子の複数の用紙を繰る形態に冊子を湾曲させた際に当該冊子の小口側の紙端の重なり部分に見出し画像が現れるように、複数の用紙に印刷を行うことをいう。曲げ見出し印刷の設定は、クライアントＰＣ１０のプリンタドライバ機能において、印刷対象となる文書等の印刷を指示する際に行われる。
【００３４】
図３に、クライアントＰＣ１０のＣＰＵ１１とプリンタドライバプログラムとの協働により表示部１３に表示される印刷設定画面４０の例を示す。印刷設定画面４０には、用紙サイズ指定領域４１、排紙トレイ指定領域４２、両面設定領域４３、曲げ見出し機能チェックボックス４４、ページ範囲指定領域４５ａ，４５ｂ，４５ｃ，４５ｄ、見出し指定領域４６ａ，４６ｂ，４６ｃ，４６ｄ、用紙端からの印刷位置指定領域４７、単位指定領域４８、フォント名指定領域４９、フォントサイズ指定領域５０、文字背景指定領域５１、ＯＫボタン５２等が含まれる。
【００３５】
用紙サイズ指定領域４１は、用紙サイズを指定するための領域である。ユーザは、操作部１２からの操作により、用紙サイズ指定領域４１のプルダウンメニューにおいて、Ａ４、Ａ３等の中から印刷を行う用紙サイズを指定する。
【００３６】
排紙トレイ指定領域４２は、印刷後の用紙を排出する排紙トレイを指定するための領域である。ユーザは、操作部１２からの操作により、排紙トレイ指定領域４２のプルダウンメニューにおいて、メイントレイ、サブトレイ等の中から排紙トレイを指定する。
【００３７】
両面設定領域４３は、片面印刷を行うか、両面印刷を行うかを指定するための領域である。ユーザは、操作部１２からの操作により、両面設定領域４３のプルダウンメニューにおいて、片面又は両面を指定する。
【００３８】
曲げ見出し機能チェックボックス４４は、曲げ見出し印刷を行うか否かを設定するためのものである。ユーザは、曲げ見出し印刷を行う場合には、操作部１２からの操作により、曲げ見出し機能チェックボックス４４をオンに設定する。
【００３９】
ページ範囲指定領域４５ａ，４５ｂ，４５ｃ，４５ｄは、冊子を構成する複数のページを複数の区分に区分けした各区分に対応するページ範囲を指定するための領域である。ページ範囲は、各区分が文書中の何ページから何ページまでかを示すものである。ユーザは、操作部１２からの操作により、ページ範囲指定領域４５ａ，４５ｂ，４５ｃ，４５ｄのそれぞれにおいて、各区分に対応するページ範囲（開始ページ及び終了ページ）を指定する。
【００４０】
見出し指定領域４６ａ，４６ｂ，４６ｃ，４６ｄは、各区分に対応する見出しを指定するための領域である。ユーザは、操作部１２からの操作により、見出し指定領域４６ａ，４６ｂ，４６ｃ，４６ｄのそれぞれにおいて、各区分に対応する見出しを指定する。
【００４１】
図３は、１ページから２０ページまでの範囲を「第１章」という区分、２１ページから４０ページまでの範囲を「第２章」という区分、４１ページから６０ページまでの範囲を「第３章」という区分に指定した場合の例である。
【００４２】
用紙端からの印刷位置指定領域４７は、見出し画像の印刷位置を、冊子の小口側の辺と垂直な方向における冊子の小口側の端部からの距離（以下、シフト幅という。）で指定するための領域である。ユーザは、操作部１２からの操作により、用紙端からの印刷位置指定領域４７において、シフト幅を指定する。
【００４３】
単位指定領域４８は、シフト幅の単位を指定するための領域である。ユーザは、操作部１２からの操作により、単位指定領域４８のプルダウンメニューにおいて、ドット、ｍｍ等の中からシフト幅の単位を指定する。
【００４４】
シフト幅は、用紙サイズ、紙種、綴じ方にもよるが、例えば、Ａ４サイズの普通紙の場合には、０より大きく数ｍｍ程度までの値を指定することができる。ドットを単位としてシフト幅を指定する場合には、１ドット以上とする。また、指定可能なシフト幅の下限値及び上限値を予め定めておき、範囲外の値は指定できないようにしてもよいし、又は、範囲外の値が指定された場合には警告を発するようにしてもよい。
【００４５】
フォント名指定領域４９は、見出しに使用されるフォント名を指定するための領域である。ユーザは、操作部１２からの操作により、フォント名指定領域４９のプルダウンメニューにおいて、フォント名を指定する。
【００４６】
フォントサイズ指定領域５０は、見出しのフォントサイズを指定するための領域である。ユーザは、操作部１２からの操作により、フォントサイズ指定領域５０のプルダウンメニューにおいて、フォントサイズを指定する。
【００４７】
文字背景指定領域５１は、見出しの背景の有無を指定するための領域である。ユーザは、操作部１２からの操作により、文字背景指定領域５１のプルダウンメニューにおいて、見出しに背景を付与するか否かを指定する。
【００４８】
なお、ページ範囲指定領域４５ａ，４５ｂ，４５ｃ，４５ｄ、見出し指定領域４６ａ，４６ｂ，４６ｃ，４６ｄ、用紙端からの印刷位置指定領域４７、単位指定領域４８、フォント名指定領域４９、フォントサイズ指定領域５０、文字背景指定領域５１における設定内容は、曲げ見出し機能チェックボックス４４がオンに設定されている場合にのみ有効となる。
【００４９】
ＯＫボタン５２は、印刷設定画面４０において設定された内容を確定するためのボタンである。
【００５０】
クライアントＰＣ１０のプリンタドライバ機能において、操作部１２からの操作により、印刷が指示された場合、ＣＰＵ１１は、印刷データ（ＰＤＬデータ）６０を生成し、画像形成装置２０に送信する。
【００５１】
図４に、クライアントＰＣ１０により生成される印刷データ６０の構成を示す。印刷データ６０には、複数のページのそれぞれの印刷内容を示す本文画像データ６１及び各種設定情報６２が含まれ、曲げ見出し印刷が設定された場合には、さらに、見出し画像データ６３が含まれる。
【００５２】
本文画像データ６１には、各ページの本文画像データが含まれる。
各種設定情報６２には、用紙サイズ設定、排紙トレイ設定、両面設定等が含まれ、曲げ見出し印刷が設定された場合には、さらに、曲げ見出し設定が含まれる。曲げ見出し設定には、各区分のページ範囲及びシフト幅（単位を含む。）が含まれる。
見出し画像データ６３には、各区分の見出し画像データが含まれる。ＣＰＵ１１は、見出し指定領域４６ａ，４６ｂ，４６ｃ，４６ｄにおいて指定された見出し、フォント名指定領域４９において指定されたフォント名、フォントサイズ指定領域５０において指定されたフォントサイズ、文字背景指定領域５１において指定された背景の有無に基づいて、各区分の見出し画像データを生成する。
【００５３】
図５に、画像形成装置２０の機能的構成を示す。図５に示すように、画像形成装置２０は、ＣＰＵ２１、操作部２２、表示部２３、画像読取部２４、通信部２５、ＲＯＭ２６、ＲＡＭ２７、印刷部２８、記憶部２９、後処理部３０を備え、各部はバス３１により接続されて構成されている。
【００５４】
ＣＰＵ２１は、画像形成装置２０の各部の処理動作を統括的に制御する。具体的には、ＣＰＵ２１は、操作部２２から入力される操作信号又は通信部２５により受信した指示信号に応じて、ＲＯＭ２６又は記憶部２９に格納されている各種処理プログラムを読み出してＲＡＭ２７に展開し、当該プログラムとの協働により各種処理を行う。
【００５５】
ＣＰＵ２１は、記憶部２９からプリンタコントローラプログラムを読み出してＲＡＭ２７に展開し、当該プログラムとの協働により、印刷部２８を制御して、クライアントＰＣ１０から受信した印刷データ６０に従った印刷を行わせる。
【００５６】
操作部２２は、数字キーやスタートキー、リセットキー等の各種キーを有し、押下されたキーの押下信号をＣＰＵ２１に出力する。また、操作部２２は、表示部２３と一体的に形成されたタッチパネルを備えており、ユーザの指先やタッチペン等により当接されたタッチパネル上の位置を検出して、位置信号をＣＰＵ２１に出力する。
【００５７】
表示部２３は、ＬＣＤ等により構成され、ＣＰＵ２１から入力される表示信号の指示に従って、操作部２２からの入力指示やデータ等を表示する。
【００５８】
画像読取部２４は、原稿画像を読み取って画像データを生成する所謂スキャナであり、原稿を載置するプラテンガラス、プラテンガラス上の原稿画像を走査し、これをＣＣＤ（Charge Coupled Device）イメージセンサ上に結像する走査光学系を備えている。画像読取部２４は、ＣＣＤイメージセンサで読み取った原稿画像に基づいて生成された画像信号をＡ／Ｄ変換して画像データを生成する。
【００５９】
通信部２５は、通信ネットワークＮを介して接続されたクライアントＰＣ１０等の外部機器との間でデータの送受信を行うための機能部である。例えば、通信部２５は、見出し画像データ６３を含む印刷データ６０を取得する。
【００６０】
ＲＯＭ２６は、不揮発性の半導体メモリ等により構成され、ＣＰＵ２１により実行される各種処理プログラム、各種データ等を記憶する。
【００６１】
ＲＡＭ２７は、ＣＰＵ２１により実行される各種処理プログラム及びこれらプログラムに係るデータを一時的に記憶するワークエリアを形成する。
【００６２】
印刷部２８は、電子写真方式、静電記録方式、熱転写方式等の作像プロセスを利用して用紙上に画像を印刷する。例えば、印刷部２８は、感光体、転写ベルト、定着器、各種搬送ベルト等を備える。印刷部２８は、ＣＰＵ２１の指示に従い、画像データに基づいて用紙上に画像を印刷する。
【００６３】
記憶部２９は、ハードディスク等の記憶装置であり、プリンタコントローラプログラム等の各種プログラム、通信部２５によりクライアントＰＣ１０から受信された印刷データ６０、画像読取部２４により読み取られた画像データ等を記憶する。
【００６４】
後処理部３０は、印刷後の用紙のソート処理を行うソートユニット、パンチ処理を行うパンチユニット、設定された綴じ位置にステープル処理を行うステープルユニット、折り処理を行う折りユニット、断裁処理を行う断裁ユニット等を備える。
【００６５】
ＣＰＵ２１は、通信部２５により取得された印刷データ６０の見出し画像データ６３に含まれる各区分の見出し画像データをラスタライズし、各区分に対応する見出し画像を生成する。ＣＰＵ２１は、各区分に対応する見出し画像を順次スライスする。ＣＰＵ２１は、通信部２５により取得された印刷データ６０の本文画像データ６１に含まれる各ページの本文画像データをラスタライズし、各ページに対応する本文画像を生成する。
【００６６】
ＣＰＵ２１は、スライスされた見出し画像のそれぞれを、複数の用紙を綴じて形成されるべき冊子の小口側の端部から当該冊子の小口側の辺と垂直な方向に予め定められた幅（印刷データ６０の各種設定情報６２の曲げ見出し設定に含まれるシフト幅）だけ内側に配置した画像を生成する。なお、スライスされた見出し画像の長手方向と、冊子の小口側の辺の方向とは一致している。具体的には、ＣＰＵ２１は、スライスされた見出し画像のそれぞれを、各ページに対応する本文画像の、冊子の小口側の端部から当該冊子の小口側の辺と垂直な方向にシフト幅だけ内側に配置して合成画像を生成する。ここで、冊子の小口側の端部は、複数の用紙の小口側の紙端である。
【００６７】
ＣＰＵ２１は、印刷部２８を制御して、生成された合成画像を複数の用紙に印刷させる。
【００６８】
次に、クライアントＰＣ１０における動作について説明する。
図６は、クライアントＰＣ１０において実行される第１の印刷指示処理を示すフローチャートである。この処理は、ＣＰＵ１１と記憶部１７に記憶されているプリンタドライバプログラムとの協働によるソフトウェア処理によって実現される。
【００６９】
まず、ＣＰＵ１１により、表示部１３に印刷設定画面４０が表示され、ユーザの操作部１２からの操作に基づいて、各種設定が行われる（ステップＳ１）。曲げ見出し印刷の指示を行う場合には、曲げ見出し設定が行われる。
【００７０】
具体的には、ユーザは、操作部１２からの操作により、用紙サイズ指定領域４１において用紙サイズを指定し、排紙トレイ指定領域４２において排紙トレイを指定し、両面設定領域４３において片面又は両面を指定する。用紙サイズ指定領域４１、排紙トレイ指定領域４２、両面設定領域４３の設定内容は、ＣＰＵ１１により、ＲＡＭ１６に格納される。
【００７１】
また、ユーザは、曲げ見出し印刷を行う場合には、操作部１２からの操作により、曲げ見出し機能チェックボックス４４をオンに設定する。曲げ見出し機能チェックボックス４４がオンに設定された場合には、ユーザは、操作部１２からの操作により、ページ範囲指定領域４５ａ，４５ｂ，４５ｃ，４５ｄにおいて各区分に対応するページ範囲を指定し、見出し指定領域４６ａ，４６ｂ，４６ｃ，４６ｄにおいて各区分に対応する見出しを指定し、用紙端からの印刷位置指定領域４７においてシフト幅を指定し、単位指定領域４８においてシフト幅の単位を指定し、フォント名指定領域４９においてフォント名を指定し、フォントサイズ指定領域５０においてフォントサイズを指定し、文字背景指定領域５１において見出しの背景の有無を指定する。これらの設定内容は、ＣＰＵ１１により、ＲＡＭ１６に格納される。
【００７２】
次に、操作部１２からの操作により、印刷が指示された場合、ＣＰＵ１１により、ステップＳ１において設定された情報に基づいて、本文画像データ６１、各種設定情報６２を含む印刷指示情報としての印刷データ（ＰＤＬデータ）６０が生成される（ステップＳ２）。曲げ見出し印刷を行う場合には、ＣＰＵ１１により、見出し指定領域４６ａ，４６ｂ，４６ｃ，４６ｄにおいて指定された見出し、フォント名指定領域４９において指定されたフォント名、フォントサイズ指定領域５０において指定されたフォントサイズ、文字背景指定領域５１において指定された背景の有無に基づいて、各区分の見出し画像データが生成される。この場合、印刷データ６０には、さらに、各区分の見出し画像データからなる見出し画像データ６３が含まれ、各種設定情報６２には、曲げ見出し設定が含まれる。
【００７３】
次に、ＣＰＵ１１により、印刷データ６０が通信部１４を介して画像形成装置２０に送信される（ステップＳ３）。
以上で、第１の印刷指示処理が終了する。
【００７４】
次に、画像形成装置２０における動作について説明する。
図７は、画像形成装置２０において実行される第１の印刷処理を示すフローチャートである。この処理は、ＣＰＵ２１と記憶部２９に記憶されているプリンタコントローラプログラムとの協働によるソフトウェア処理によって実現される。
【００７５】
まず、画像形成装置２０において、通信部２５により、クライアントＰＣ１０から送信された印刷データ６０が受信される（ステップＳ１１）。
【００７６】
次に、ＣＰＵ２１により、受信された印刷データ６０が解析される（ステップＳ１２）。
【００７７】
次に、ＣＰＵ２１により、合成画像生成処理が行われる（ステップＳ１３）。
ここで、図８を参照して、合成画像生成処理について説明する。
まず、ＣＰＵ２１により、印刷データ６０の各種設定情報６２に曲げ見出し設定が含まれるか否かが判断される（ステップＳ２１）。印刷データ６０の各種設定情報６２に曲げ見出し設定が含まれると判断された場合には（ステップＳ２１；ＹＥＳ）、ＣＰＵ２１により、見出し画像データ６３に含まれる各区分の見出し画像データがラスタライズされ、複数の各区分に対応する見出し画像が生成される（ステップＳ２２）。見出し画像のラスタデータは、ＣＰＵ２１により、ＲＡＭ２７に格納される。図９に、見出し画像７０の例を示す。
【００７８】
次に、ＣＰＵ２１により、ラスタライズされた見出し画像が、予め定められた方向に順次スライスされる（ステップＳ２３）。この際、ＣＰＵ２１により、各種設定情報６２の曲げ見出し設定に含まれる各区分のページ範囲に基づいて、各見出し画像は、当該見出し画像に対応する区分に属する用紙の枚数に分割される。スライスされた見出し画像のラスタデータは、ＣＰＵ２１により、ＲＡＭ２７に格納される。図１０に、図９に示す見出し画像７０を縦方向にスライスしたスライス画像７０ａ，７０ｂ，７０ｃ，７０ｄを示す。
【００７９】
次に、ＣＰＵ２１により、本文画像データ６１に含まれる各ページの本文画像データがラスタライズされ、複数の本文画像が生成される（ステップＳ２４）。本文画像のラスタデータは、ＣＰＵ２１により、ＲＡＭ２７に格納される。
【００８０】
次に、ＣＰＵ２１により、印刷データ６０の各種設定情報６２の曲げ見出し設定に含まれる各区分のページ範囲及びシフト幅に基づいて、複数の区分毎に、各区分のページ範囲に属する各本文画像の、冊子の小口側の端部から冊子の小口側の辺と垂直な方向にシフト幅だけ内側に、スライスされた見出し画像のそれぞれが配置され、合成画像が生成される（ステップＳ２５）。この際、ＣＰＵ２１により、スライスされた見出し画像の長手方向と、冊子の小口側の辺に沿った方向とが一致するように、スライスされた見出し画像のそれぞれが配置される。また、本文画像に対して、スライスされた見出し画像が合成される縦方向（冊子の小口側の辺に沿った方向）の位置は、例えば、用紙の縦幅を区分の数で等分し、区分の順序に従って順次シフトさせた位置とする。合成画像のラスタデータは、ＣＰＵ２１により、ＲＡＭ２７に格納される。
【００８１】
図１１に、スライス画像７０ａ，７０ｂ，７０ｃ，７０ｄを本文画像７１ａ，７１ｂ，７１ｃ，７１ｄに合成した合成画像の例を示す。図１１に示すように、スライス画像７０ａ，７０ｂ，７０ｃ，７０ｄは、本文画像７１ａ，７１ｂ，７１ｃ，７１ｄの冊子の小口側の端部から冊子の小口側の辺と垂直な方向（図１１に示すＸ方向）にシフト幅Ｗだけ内側に配置される。また、スライス画像７０ａ，７０ｂ，７０ｃ，７０ｄの長手方向と、冊子の小口側の辺に沿った方向（図１１に示すＹ方向）とは一致している。また、同一区分の見出し画像７０を分割したスライス画像７０ａ，７０ｂ，７０ｃ，７０ｄは、冊子の小口側の辺に沿った方向（図１１に示すＹ方向）において、同じ位置に配置される。
【００８２】
ステップＳ２１において、印刷データ６０の各種設定情報６２に曲げ見出し設定が含まれないと判断された場合には（ステップＳ２１；ＮＯ）、ＣＰＵ２１により、本文画像データ６１に含まれる各ページの本文画像データがラスタライズされ、複数の本文画像が生成される（ステップＳ２６）。本文画像のラスタデータは、ＣＰＵ２１により、ＲＡＭ２７に格納される。
【００８３】
ステップＳ２５又はステップＳ２６の後、合成画像生成処理は終了し、図７のステップＳ１４に移行する。
【００８４】
図７に戻り、ＣＰＵ２１により印刷部２８が制御され、各ページに対応するラスタデータに基づいて、本文画像が用紙に印刷される（ステップＳ１４）。本文画像にスライスされた見出し画像が合成されているページについては、スライスされた見出し画像が合成された本文画像が印刷される。
【００８５】
次に、ＣＰＵ２１により後処理部３０が制御され、印刷後の複数の用紙に対して後処理が行われる（ステップＳ１５）。具体的には、後処理部３０により、複数の用紙が綴じられ、冊子が作成される。
以上で、第１の印刷処理が終了する。
【００８６】
図１２に、作成された冊子８０の例を示す。冊子８０は、冊子８０を構成する複数の用紙の、冊子８０の綴じ側８１と反対側である小口側８２の端部から冊子８０の小口側の辺と垂直な方向にシフト幅だけ内側に、見出し画像を順次スライスした画像が複数の用紙の綴じ順に印刷されている。図１２に示すＺ方向に沿って、冊子８０を構成する複数の用紙を繰る形態に冊子８０を湾曲させると、冊子８０の小口側８２の紙端の重なり部分に、第１章、第２章、第３章の見出し画像が現れる。
【００８７】
図１３は、冊子８０を湾曲させた際の「第１章」の見出し部分の部分拡大図である。「第１章」という見出し画像をスライスした画像のそれぞれが、用紙８３ａ，８３ｂ，８３ｃ，８３ｄの紙端からシフト幅Ｗだけ内側に印刷されている。このため、図１４に示すように、冊子８０を湾曲させていない状態では、冊子８０の小口側８２の側面に画像が現れることがない。
【００８８】
以上説明したように、第１の実施の形態によれば、スライスされた見出し画像のそれぞれが、冊子の小口側の端部から冊子の小口側の辺と垂直な方向にシフト幅だけ内側に配置されるので、冊子を湾曲させていない状態では冊子の小口側の側面に画像が現れることがなく、冊子の見栄えを良くすることができる。
【００８９】
［第２の実施の形態］
次に、本発明を適用した第２の実施の形態について説明する。
第２の実施の形態における画像形成システムは、第１の実施の形態に示した画像形成システム１と同様の構成であるため、図１、図２及び図５を援用し、その構成については図示及び説明を省略する。また、図３に示した印刷設定画面４０は、第２の実施の形態においても同様であるため、説明を省略する。また、第２の実施の形態においても、付加画像として、見出し画像を用いる場合を例にして説明する。以下、第２の実施の形態に特徴的な構成及び処理について説明する。
【００９０】
第１の実施の形態では、画像形成装置２０において見出し画像をスライスし、スライスされた見出し画像を本文画像と合成する場合について説明したが、第２の実施の形態は、クライアントＰＣ１０において見出し画像をスライスし、スライスされた見出し画像を本文画像と合成する場合の例である。
【００９１】
クライアントＰＣ１０のプリンタドライバ機能において、操作部１２からの操作により、印刷が指示された場合、ＣＰＵ１１は、印刷設定画面４０（図３参照）において設定された見出し画像を順次スライスし、当該スライスされた見出し画像のそれぞれを、複数の用紙を綴じて形成されるべき冊子の小口側の端部から当該冊子の小口側の辺と垂直な方向に予め定められた幅（用紙端からの印刷位置指定領域４７において指定されたシフト幅）だけ内側に配置した画像を生成し、生成された画像の印刷を指示する印刷指示情報としての印刷データ（ＰＤＬデータ）９０（図１５参照）を生成する。なお、スライスされた見出し画像の長手方向と、冊子の小口側の辺の方向とは一致している。具体的には、ＣＰＵ１１は、スライスされた見出し画像のそれぞれを、各ページに対応する本文画像の、冊子の小口側の端部から当該冊子の小口側の辺と垂直な方向にシフト幅だけ内側に配置した画像をＰＤＬコマンドにより記述する。ここで、冊子の小口側の端部は、複数の用紙の小口側の紙端である。
【００９２】
そして、ＣＰＵ１１は、通信部１４を介して印刷データ９０を画像形成装置２０に送信する。
【００９３】
図１５に、クライアントＰＣ１０により生成される印刷データ９０の構成を示す。印刷データ９０には、複数のページのそれぞれの印刷内容を示す本文画像データ９１及び各種設定情報９２が含まれる。印刷データ９０は、ＰＤＬコマンドにより記述されており、本文画像にスライスされた見出し画像が合成される場合には、このスライスされた見出し画像を合成するというコマンドも印刷データ９０の本文画像データ９１に含まれる。
【００９４】
本文画像データ９１には、各ページの本文画像データが含まれる。
各種設定情報９２には、用紙サイズ設定、排紙トレイ設定、両面設定等が含まれる。
【００９５】
次に、クライアントＰＣ１０における動作について説明する。
図１６は、クライアントＰＣ１０において実行される第２の印刷指示処理を示すフローチャートである。この処理は、ＣＰＵ１１と記憶部１７に記憶されているプリンタドライバプログラムとの協働によるソフトウェア処理によって実現される。
【００９６】
まず、ＣＰＵ１１により、表示部１３に印刷設定画面４０（図３参照）が表示され、ユーザの操作部１２からの操作に基づいて、各種設定が行われる（ステップＴ１）。曲げ見出し印刷の指示を行う場合には、曲げ見出し設定が行われる。
【００９７】
具体的には、ユーザは、操作部１２からの操作により、用紙サイズ指定領域４１において用紙サイズを指定し、排紙トレイ指定領域４２において排紙トレイを指定し、両面設定領域４３において片面又は両面を指定する。用紙サイズ指定領域４１、排紙トレイ指定領域４２、両面設定領域４３の設定内容は、ＣＰＵ１１により、ＲＡＭ１６に格納される。
【００９８】
また、ユーザは、曲げ見出し印刷を行う場合には、操作部１２からの操作により、曲げ見出し機能チェックボックス４４をオンに設定する。曲げ見出し機能チェックボックス４４がオンに設定された場合には、ユーザは、操作部１２からの操作により、ページ範囲指定領域４５ａ，４５ｂ，４５ｃ，４５ｄにおいて各区分に対応するページ範囲を指定し、見出し指定領域４６ａ，４６ｂ，４６ｃ，４６ｄにおいて各区分に対応する見出しを指定し、用紙端からの印刷位置指定領域４７においてシフト幅を指定し、単位指定領域４８においてシフト幅の単位を指定し、フォント名指定領域４９においてフォント名を指定し、フォントサイズ指定領域５０においてフォントサイズを指定し、文字背景指定領域５１において見出しの背景の有無を指定する。これらの設定内容は、ＣＰＵ１１により、ＲＡＭ１６に格納される。
【００９９】
次に、操作部１２からの操作により、印刷が指示された場合、ＣＰＵ１１により、ステップＴ１において設定された情報に基づいて、印刷データ生成処理が行われる（ステップＴ２）。
【０１００】
ここで、図１７を参照して、印刷データ生成処理について説明する。
まず、ＣＰＵ１１により、印刷設定画面４０において設定された設定内容に曲げ見出し設定が含まれるか否かが判断される（ステップＴ１１）。具体的には、ＣＰＵ１１により、印刷設定画面４０の曲げ見出し機能チェックボックス４４がオンに設定されたか否かが判断される。印刷設定画面４０において設定された設定内容に曲げ見出し設定が含まれると判断された場合には（ステップＴ１１；ＹＥＳ）、ＣＰＵ１１により、印刷設定画面４０の見出し指定領域４６ａ，４６ｂ，４６ｃ，４６ｄにおいて指定された各区分の見出し、フォント名指定領域４９において指定されたフォント名、フォントサイズ指定領域５０において指定されたフォントサイズ、文字背景指定領域５１において指定された背景の有無に基づいて、各区分に対応する複数の見出し画像が展開される（ステップＴ１２）。展開された見出し画像のデータは、ＣＰＵ１１により、ＲＡＭ１６に格納される。
【０１０１】
次に、ＣＰＵ１１により、展開された見出し画像が、予め定められた方向に順次スライスされる（ステップＴ１３）。この際、ＣＰＵ１１により、印刷設定画面４０のページ範囲指定領域４５ａ，４５ｂ，４５ｃ，４５ｄにおいて指定された各区分のページ範囲に基づいて、各見出し画像は、当該見出し画像に対応する区分に属する用紙の枚数に分割される。スライスされた見出し画像のデータは、ＣＰＵ１１により、ＲＡＭ１６に格納される。
【０１０２】
次に、ＣＰＵ１１により、各ページの本文画像がＰＤＬコマンドにより記述され、印刷データ９０が生成される（ステップＴ１４）。生成された印刷データ９０は、ＣＰＵ１１により、ＲＡＭ１６に格納される。
【０１０３】
次に、ＣＰＵ１１により、印刷設定画面４０のページ範囲指定領域４５ａ，４５ｂ，４５ｃ，４５ｄにおいて指定された各区分のページ範囲、用紙端からの印刷位置指定領域４７において指定されたシフト幅に基づいて、複数の区分毎に、各区分のページ範囲に属する各本文画像の、冊子の小口側の端部から冊子の小口側の辺と垂直な方向にシフト幅だけ内側に、スライスされた見出し画像のそれぞれを配置して合成するコマンドが印刷データ９０に追加される（ステップＴ１５）。この際、ＣＰＵ１１により、スライスされた見出し画像の長手方向と、冊子の小口側の辺に沿った方向とが一致するように、各本文画像に、スライスされた見出し画像のそれぞれを配置して合成するコマンドが印刷データ９０に追加される。また、本文画像に対して、スライスされた見出し画像が合成される縦方向（冊子の小口側の辺に沿った方向）の位置は、例えば、用紙の縦幅を区分の数で等分し、区分の順序に従って順次シフトさせた位置とする。スライスされた見出し画像のそれぞれを合成するコマンドが追加された印刷データ９０は、ＣＰＵ１１により、ＲＡＭ１６に格納される。
【０１０４】
ステップＴ１１において、印刷設定画面４０において設定された設定内容に曲げ見出し設定が含まれないと判断された場合には（ステップＴ１１；ＮＯ）、ＣＰＵ１１により、各ページの本文画像がＰＤＬコマンドにより記述され、印刷データ９０が生成される（ステップＴ１６）。生成された印刷データ９０は、ＣＰＵ１１により、ＲＡＭ１６に格納される。
【０１０５】
ステップＴ１５又はステップＴ１６の後、印刷データ生成処理は終了する。そして、図１６に戻り、ＣＰＵ１１により、印刷データ９０が通信部１４を介して画像形成装置２０に送信される（ステップＴ３）。
以上で、第２の印刷指示処理が終了する。
【０１０６】
次に、画像形成装置２０における動作について説明する。
図１８は、画像形成装置２０において実行される第２の印刷処理を示すフローチャートである。この処理は、ＣＰＵ２１と記憶部２９に記憶されているプリンタコントローラプログラムとの協働によるソフトウェア処理によって実現される。
【０１０７】
まず、画像形成装置２０において、通信部２５により、クライアントＰＣ１０から送信された印刷データ９０が受信される（ステップＴ２１）。
【０１０８】
次に、ＣＰＵ２１により、受信された印刷データ９０が解析される（ステップＴ２２）。
【０１０９】
次に、ＣＰＵ２１により、印刷画像生成処理が行われる（ステップＴ２３）。具体的には、ＣＰＵ２１により、印刷データ９０の解析結果に基づいて、各種設定情報９２に従って、本文画像データ９１に含まれる各ページの本文画像データがラスタライズされ、複数の本文画像が生成される。本文画像にスライスされた見出し画像が合成されている場合には、このスライスされた見出し画像を合成するというコマンドが印刷データ９０の本文画像データ９１に含まれているため、画像形成装置２０では、通常のラスタライズ処理を行えばよい。本文画像のラスタデータは、ＣＰＵ２１により、ＲＡＭ２７に格納される。
【０１１０】
次に、ＣＰＵ２１により印刷部２８が制御され、各ページに対応するラスタデータに基づいて、本文画像が用紙に印刷される（ステップＴ２４）。
【０１１１】
次に、ＣＰＵ２１により後処理部３０が制御され、印刷後の複数の用紙に対して後処理が行われる（ステップＴ２５）。具体的には、後処理部３０により、複数の用紙が綴じられ、冊子が作成される。
以上で、第２の印刷処理が終了する。
【０１１２】
冊子の仕上がり状態は、図１２〜図１４を用いて説明した冊子８０と同様であるため、説明を省略する。
【０１１３】
以上説明したように、第２の実施の形態によれば、スライスされた見出し画像のそれぞれが、冊子の小口側の端部から冊子の小口側の辺と垂直な方向にシフト幅だけ内側に配置されるので、冊子を湾曲させていない状態では冊子の小口側の側面に画像が現れることがなく、冊子の見栄えを良くすることができる。
【０１１４】
なお、上記各実施の形態における記述は、本発明に係る画像形成装置、印刷指示装置、冊子の例であり、これに限定されるものではない。装置を構成する各部の細部構成及び細部動作に関しても本発明の趣旨を逸脱することのない範囲で適宜変更可能である。
【０１１５】
例えば、スライスされた見出し画像は、複数の用紙において断裁処理後の小口側の紙端を見込んだ位置、すなわち、最終的に紙端となる位置から小口側の辺と垂直な方向にシフト幅だけ内側にずらした位置に印刷することとしてもよい。その場合、画像形成装置２０において、スライスされた見出し画像は、断裁される用紙の幅の分だけさらに内側に印刷され、印刷後、後処理部３０において断裁処理が行われる。
【０１１６】
また、上記各実施の形態では、印刷設定画面４０の用紙端からの印刷位置指定領域４７において、ユーザがシフト幅を指定することとしたが、画像形成装置２０において、用紙の端まで印刷することができない場合等には、シフト幅を画像形成装置２０において印刷し得る小口側の境界位置から紙端までの距離とする等、固定値とすることとしてもよい。
【０１１７】
以上の説明では、各処理を実行するためのプログラムを格納したコンピュータ読み取り可能な媒体としてＲＯＭ又はハードディスク等を使用した例を開示したが、この例に限定されない。その他のコンピュータ読み取り可能な媒体として、フラッシュメモリ等の不揮発性メモリ、ＣＤ−ＲＯＭ等の可搬型記録媒体を適用することも可能である。また、プログラムのデータを通信回線を介して提供する媒体として、キャリアウェーブ（搬送波）を適用することとしてもよい。
【符号の説明】
【０１１８】
１  画像形成システム
１０  クライアントＰＣ
１１  ＣＰＵ
１２  操作部
１３  表示部
１４  通信部
１５  ＲＯＭ
１６  ＲＡＭ
１７  記憶部
１８  バス
２０  画像形成装置
２１  ＣＰＵ
２２  操作部
２３  表示部
２４  画像読取部
２５  通信部
２６  ＲＯＭ
２７  ＲＡＭ
２８  印刷部
２９  記憶部
３０  後処理部
３１  バス
４０  印刷設定画面
４１  用紙サイズ指定領域
４２  排紙トレイ指定領域
４３  両面設定領域
４４  曲げ見出し機能チェックボックス
４５ａ，４５ｂ，４５ｃ，４５ｄ  ページ範囲指定領域
４６ａ，４６ｂ，４６ｃ，４６ｄ  見出し指定領域
４７  用紙端からの印刷位置指定領域
４８  単位指定領域
４９  フォント名指定領域
５０  フォントサイズ指定領域
５１  文字背景指定領域
５２  ＯＫボタン
６０  印刷データ
６１  本文画像データ
６２  各種設定情報
６３  見出し画像データ
７０  見出し画像
７０ａ，７０ｂ，７０ｃ，７０ｄ  スライス画像
７１ａ，７１ｂ，７１ｃ，７１ｄ  本文画像
８０  冊子
８１  綴じ側
８２  小口側
９０  印刷データ
９１  本文画像データ
９２  各種設定情報
Ｎ  通信ネットワーク
【図１】
2010205113.tif 000003
【図２】
2010205113.tif 000004
【図３】
2010205113.tif 000005
【図４】
2010205113.tif 000006
【図５】
2010205113.tif 000007
【図６】
2010205113.tif 000008
【図７】
2010205113.tif 000009
【図８】
2010205113.tif 000010
【図９】
2010205113.tif 000011
【図１０】
2010205113.tif 000012
【図１１】
2010205113.tif 000013
【図１２】
2010205113.tif 000014
【図１３】
2010205113.tif 000015
【図１４】
2010205113.tif 000016
【図１５】
2010205113.tif 000017
【図１６】
2010205113.tif 000018
【図１７】
2010205113.tif 000019
【図１８】
2010205113.tif 000020
【図１９】
2010205113.tif 000021
【図２０】
2010205113.tif 000022